(57)【要約】【課題】収納ケースへの開閉制御ユニットの取付けが容易であると共に経済的で、しかも収納ケース内の空間を有効利用可能なトイレ装置における開閉制御ユニットの取付け構造を提供する。【解決手段】トイレ本体の後側に設けられた機能部１１の収納ケース１２のトイレ本体側にある溝形収納部１５に収納され、溝形収納部１５の両側に位置する空間部１６にその基端部が回動可能に取付けられた便座及び便蓋のいずれか少なくとも一方からなる開閉部材を開閉制御する開閉制御ユニットの取付け構造１０であって、溝形収納部１５にスライド可能に取付けられた開閉制御ユニット１３が開閉部材の係合位置にある状態で、開閉制御ユニット１３の横移動を防止し、溝形収納部１５にワンタッチで取付け可能な抜け止め部材２０を設けた。【選択図】　　　　図１
2004121319.tif 000002
【特許請求の範囲】
【請求項１】
トイレ本体の後側に設けられた機能部の収納ケースの前記トイレ本体側にある溝形収納部に収納され、該溝形収納部の両側に位置する空間部にその基端部が回動可能に取付けられた便座及び便蓋のいずれか少なくとも一方からなる開閉部材を開閉制御する開閉制御ユニットの取付け構造であって、
前記溝形収納部にスライド可能に取付けられた開閉制御ユニットが前記開閉部材の係合位置にある状態で、前記開閉制御ユニットの横移動を防止し、前記溝形収納部にワンタッチで取付け可能な抜け止め部材を設けたことを特徴とするトイレ装置における開閉制御ユニットの取付け構造。
【請求項２】
請求項１記載のトイレ装置における開閉制御ユニットの取付け構造において、前記抜け止め部材は、前記開閉制御ユニットの移動方向に実質的に直交する方向にスライド可能となって、一方側に第１の係止部が他方側に第２の係止部がそれぞれ設けられ、前記溝形収納部又はその周辺部には前記第１、第２の係止部にそれぞれ係合可能な第１、第２の係合部が設けられていることを特徴とするトイレ装置における開閉制御ユニットの取付け構造。
【請求項３】
請求項２記載のトイレ装置における開閉制御ユニットの取付け構造において、前記第１、第２の係止部はそれぞれスライド片とフック部からなり、前記第１の係合部は前記スライド片を嵌入させるガイド部からなり、前記第２の係合部は前記フック部が嵌入して係止する係止穴からなることを特徴とするトイレ装置における開閉制御ユニットの取付け構造。
【請求項４】
請求項３記載のトイレ装置における開閉制御ユニットの取付け構造において、前記フック部の設けられた前記抜け止め部材の取付け支持部は弾性変形可能となって、前記抜け止め部材を前記溝形収納部に配置した状態で、前記フック部を前記係止穴に押し込み、更に前記フック部を前記係止穴から取り出し可能であることを特徴とするトイレ装置における開閉制御ユニットの取付け構造。
【請求項５】
請求項１〜４のいずれか１項に記載のトイレ装置における開閉制御ユニットの取付け構造において、前記開閉制御ユニットは減速機付きモータを備え、前記開閉部材の開閉及び開のいずれか一方を電動によって行うことを特徴とするトイレ装置における開閉制御ユニットの取付け構造。
【請求項６】
請求項５記載のトイレ装置における開閉制御ユニットの取付け構造において、前記抜け止め部材はケース状となって、前記開閉制御ユニットの制御部が収納されていることを特徴とするトイレ装置における開閉制御ユニットの取付け構造。
【請求項７】
請求項６記載のトイレ装置における開閉制御ユニットの取付け構造において、ケース状となった前記抜け止め部材には、前記制御部を覆う防露材が配置され、しかも、該防露材で前記開閉制御ユニットを閉塞した状態で、前記開閉制御ユニットに当接し、該防露材の横方向への抜け止めがなされていることを特徴とするトイレ装置における開閉制御ユニットの取付け構造。
【請求項８】
請求項１〜７のいずれか１項に記載のトイレ装置における開閉制御ユニットの取付け構造において、前記開閉制御ユニットはダンパー機構を備え、前記開閉部材が開状態から閉状態へと回動する速度を制御することを特徴とするトイレ装置における開閉制御ユニットの取付け構造。
【発明の詳細な説明】
【０００１】
【発明の属する技術分野】
本発明は、便座及び便蓋のいずれか少なくとも一方からなる開閉部材を開閉制御ユニットにより開閉制御するトイレ装置における開閉制御ユニットの取付け構造に関する。
【０００２】
【従来の技術】
従来、図８に示すように、トイレ本体（便器）７０の後側上部には機能部７１が設けられている。この機能部７１には、局部洗浄用ノズル７２と、局部洗浄用ノズル７２に温水を供給する温水タンク（図示しない）とを有する例えば衛生洗浄手段が備えられている。この機能部７１の収納ケース７３には、便座７４及び便蓋７５の基端部が回動可能に取付けられ、便座７４及び便蓋７５の開閉が行われる。なお、この便座７４及び便蓋７５のいずれか少なくとも一方は、収納ケース７３内に配置された開閉制御ユニット７６によって開閉制御が行われる。
この開閉制御ユニット７６の収納ケース７３への取付け面側には、図９に示すように、収納ケース７３の取付け面に対して、実質的に平行な方向に固定ボス７７が設けられている。この固定ボス７７には、開閉制御ユニット７６の取付け孔７８を貫通した取付けねじ７９が固定され、収納ケース７３に開閉制御ユニット７６が固定されていた。
【０００３】
【発明が解決しようとする課題】
しかしながら、上記した開閉制御ユニットの取付け構造には、以下の問題がある。
開閉制御ユニットの収納ケースへの取付けは、取付けねじを使用して行われるので、外部からのストレスによる固定ボスへの応力集中が発生し、固定ボスに割れが発生する可能性があった。このため、固定ボスを補強して強度を高める必要があり、固定ボスの形状が複雑になっていた。また、取付けねじにより固定するため、例えば、収納ケースへの開閉制御ユニットの取付け作業や、故障による開閉制御ユニットの交換作業等では、工具を使用する必要があり、作業性が悪かった。
このような取付けねじによる固定を行うことなく、収納ケース内に新たな部品を配置して、収納ケースに開閉制御ユニットを固定することも可能であるが、この場合、通常収納ケース内に配置する必要がない部品を収納ケース内に配置するため、収納ケース内の空間を狭くしたり、また部品点数が増加し経済的でないという問題があった。
本発明はかかる事情に鑑みてなされたもので、収納ケースへの開閉制御ユニットの取付けが容易であると共に経済的で、しかも収納ケース内の空間を有効利用可能なトイレ装置における開閉制御ユニットの取付け構造を提供することを目的とする。
【０００４】
【課題を解決するための手段】
前記目的に沿う本発明に係るトイレ装置における開閉制御ユニットの取付け構造は、トイレ本体の後側に設けられた機能部の収納ケースのトイレ本体側にある溝形収納部に収納され、溝形収納部の両側に位置する空間部にその基端部が回動可能に取付けられた便座及び便蓋のいずれか少なくとも一方からなる開閉部材を開閉制御する開閉制御ユニットの取付け構造であって、溝形収納部にスライド可能に取付けられた開閉制御ユニットが開閉部材の係合位置にある状態で、開閉制御ユニットの横移動を防止し、溝形収納部にワンタッチで取付け可能な抜け止め部材を設けた。これにより、従来のように取付けねじを使用することなく、収納ケースへの開閉制御ユニットの固定を、抜け止め部材によってワンタッチで行うことができる。
ここで、本発明に係るトイレ装置における開閉制御ユニットの取付け構造において、抜け止め部材は、開閉制御ユニットの移動方向に実質的に直交する方向にスライド可能となって、一方側に第１の係止部が他方側に第２の係止部がそれぞれ設けられ、溝形収納部又はその周辺部には第１、第２の係止部にそれぞれ係合可能な第１、第２の係合部が設けられていることが好ましい。このように、抜け止め部材は開閉制御ユニットの移動方向に実質的に直交する方向にスライド可能となっているので、抜け止め部材を固定することで、開閉制御ユニットの横移動が防止できる。また、抜け止め部材の両側に設けられた第１、第２の係止部を、溝形収納部又はその周辺部に設けられた第１、第２の係合部にそれぞれ係合することで、抜け止め部材を溝形収納部に容易に固定できる。
【０００５】
本発明に係るトイレ装置における開閉制御ユニットの取付け構造において、第１、第２の係止部はそれぞれスライド片とフック部からなり、第１の係合部はスライド片を嵌入させるガイド部からなり、第２の係合部はフック部が嵌入して係止する係止穴からなることが好ましい。これにより、スライド片をガイド部にスライドさせて嵌入した後、フック部を係止穴に係止することで、抜け止め部材を溝形収納部に固定できる。
本発明に係るトイレ装置における開閉制御ユニットの取付け構造において、フック部の設けられた抜け止め部材の取付け支持部は弾性変形可能となって、抜け止め部材を溝形収納部に配置した状態で、フック部を係止穴に押し込み、更にフック部を係止穴から取り出し可能であることが好ましい。このように、フック部が設けられた取付け支持部は弾性変形可能となっているので、例えば大きな力や特別な工具を要することなく、フック部を係止穴から容易に着脱できる。
【０００６】
本発明に係るトイレ装置における開閉制御ユニットの取付け構造において、開閉制御ユニットは減速機付きモータを備え、開閉部材の開閉及び開のいずれか一方を電動によって行うことが好ましい。このように、開閉部材の開閉制御を電動によって行うので、開閉部材に触れることなく開閉部材の開閉及び開のいずれか一方を行うことができる。
本発明に係るトイレ装置における開閉制御ユニットの取付け構造において、抜け止め部材はケース状となって、開閉制御ユニットの制御部が収納されていることが好ましい。このように、抜け止め部材をケース状とし、この抜け止め部材に制御部を収納するので、抜け止め部材を新たに設けることなく、制御部のケースを開閉制御ユニットの抜け止めに利用できる。
本発明に係るトイレ装置における開閉制御ユニットの取付け構造において、ケース状となった抜け止め部材には、制御部を覆う防露材が配置され、しかも、防露材で開閉制御ユニットを閉塞した状態で、開閉制御ユニットに当接し、防露材の横方向への抜け止めがなされていることが好ましい。このように、防露材の横方向への抜け止めは、開閉制御ユニットによって行われるので、新たな部品を要することなく、防露材をケース状となった抜け止め部材に固定できる。
本発明に係るトイレ装置における開閉制御ユニットの取付け構造において、開閉制御ユニットはダンパー機構を備え、開閉部材が開状態から閉状態へと回動する速度を制御することが好ましい。このように、開閉制御ユニットにダンパー機構を備えることで、開閉部材の回動速度がゆっくりになるので、開閉部材がトイレ本体に衝突した場合に、開閉部材やトイレ本体の破損を防止できる。
【０００７】
【発明の実施の形態】
続いて、添付した図面を参照しつつ、本発明を具体化した実施の形態につき説明し、本発明の理解に供する。
ここに、図１は本発明の一実施の形態に係るトイレ装置における開閉制御ユニットの取付け構造を示す説明図、図２及び図３は同取付け構造を適用した取付け方法を示す説明図、図４は同取付け構造を適用した抜け止め部材の斜視図、図５は同取付け構造を適用した抜け止め部材の説明図、図６は同取付け構造を適用した抜け止め部材の説明図、図７は同取付け構造を適用した変形例に係る抜け止め部材の説明図である。
【０００８】
図１〜図３に示すように、本発明の一実施の形態に係るトイレ装置における開閉制御ユニットの取付け構造１０を適用した機能部１１は、トイレ本体（図示しない）の後側上部に設置され、局部洗浄用ノズルと、局部洗浄用ノズルに温水を供給する温水タンクとを有する例えば衛生洗浄手段を備えている（図８参照）。なお、機能部１１は、収納ケース１２によって覆われている。以下、詳しく説明するが、開閉制御ユニット１３の取付けは、通常収納ケース１２を裏返して行なうため、トイレ本体に設置した状態の収納ケース１２の上側を下、下側を上として説明する。
【０００９】
図１、図２に示すように、トイレ本体から取外して裏返して収納ケース１２を視ると、収納ケース１２には、機能部１１を構成する各ユニット（例えば、温風ユニット、脱臭ユニット等）を配置可能な収納部１４が設けられ、しかも収納ケース１２のトイレ本体側でこの収納部１４の下側には、略断面Ｕ字状となった溝形収納部１５が、収納ケース１２の幅方向（左右方向）に渡って設けられている。この溝形収納部１５の両側に位置する空間部１６には、便座及び便蓋（図示しない）の基端部が回動可能に取付けられている。この便座及び便蓋のいずれか少なくとも一方からなる開閉部材の基端部は、収納ケース１２内の溝形収納部１５の両端部に配置された開閉制御ユニット１３の出力軸１７に接続されている。
【００１０】
なお、開閉制御ユニット１３は、開閉部材の開閉及び開のいずれか一方を電動によって行う減速機付きモータを備えたもの、又は、開閉部材が開状態から閉状態へと回動する速度をゆっくりな速度に制御するソフト閉止機構（ダンパー機構の一例）を備えたものでもよく、減速機付きモータとソフト閉止機構を組合せたものでもよい。この減速機付きモータは、駆動モータ（例えば、ＤＣブラシモータ、ＡＣモータ、ステッピングモータ等）、伝達歯車、遊星歯車機構、トルクリミッタ機構、角度検知センサ等を有するものである。これにより、開閉制御ユニット１３は、駆動モータの回転力が伝達歯車により減速され、最終段の遊星歯車機構に伝達され、トルクリミッタ機構を介して出力軸１７に伝達される。次に、開閉制御ユニット１３の出力軸１７が開閉部材の回転軸に伝達され、更に開閉部材に伝達され、開閉部材が開閉される。なお、回転方向の検出は、回転軸に設けられた多極磁着された磁石とホールＩＣ、又はスリットとフォトインタラプタによる２相出力のエンコーダにしてもよいし、ポテンシオメータによる角度情報から回転方向を判断してもよい。
また、ソフト閉止機構は、オイルの粘性を利用したもので、弁の働きによりダンパー力を発生させるものである。
【００１１】
図１〜図３に示すように、溝形収納部１５への開閉制御ユニット１３の固定は、溝形収納部１５に密接嵌入可能な形状となった開閉制御ユニット１３をスライド可能に取付けるための２つの固定部１８、１９と、その側方に設けられ開閉制御ユニット１３の横移動を防止する抜け止め部材２０によって行われる。
各固定部１８、１９は、溝形収納部１５の周辺部である収納ケース１２の後側下部、及び内側前部の上端部にそれぞれ設けられ、しかも開閉制御ユニット１３との当接面が平面状となっている。また、固定部１８の側方には、平面視してコ字状で、高さが例えば０．５〜１ｃｍのガイド部（第１の係合部の一例）２１が設けられ、固定部１９の側方の収納ケース１２の内壁部には、係止穴（第２の係合部の一例）２２が設けられている。なお、溝形収納部１５の底部にも固定穴２３が設けられている。
【００１２】
一方、抜け止め部材２０は、図３、図４に示すように、その下部が溝形収納部１５を形成する収納ケース１２の内側面に当接可能な形状となっており、一方側の下部に平面視して鉤状となったスライド片（第１の係止部の一例）２４が設けられている。また、他方側の上部には、抜け止め部材２０に備えられ、弾性変形可能となった薄板状（例えば厚みが１〜２ｍｍ）のプラスチック材料からなる取付け支持部２５に設けられたフック部（第２の係止部の一例）２６が、収納ケース１２の内側前部に対して突出状態となるように設けられている。なお、抜け止め部材２０の溝形収納部１５の底部の形成壁（面）との当接部分にも、突出部２７が設けられている。このスライド片２４、フック部２６、突出部２７は、それぞれガイド部２１、係止穴２２、固定穴２３に係合可能な構成となっている。
また、図１〜図３に示すように、抜け止め部材２０の上端部には、抜け止め部材２０の幅方向に突出し、開閉制御ユニット１３の上端部を抑える固定部２８が設けられている。
【００１３】
図５、図６に示すように、この抜け止め部材２０は、ケース状となっており、この内部に開閉制御ユニット１３の制御部が搭載された制御基板２９が収納されている。なお、抜け止め部材２０の内部には、制御基板２９を支持する複数の支持部３０と、制御基板２９を抜け止め部材２０に固定するため引っ掛ける引っ掛け部３１とフック部３１ａとが設けられている。そして、この抜け止め部材２０には、制御基板２９を覆う容器状となった例えばプラスチック製の防露材３２が覆い被さった状態で配置されている。これにより、制御部が湿気に曝されることを抑制、更には防止できる。なお、この防露材３２は、抜け止め部材２０に固定されることなく配置されているため、抜け止め部材２０から容易に抜け落ちる。しかし、防露材３２で開閉制御ユニット１３を閉塞した状態で、開閉制御ユニット１３に防露材３２の側部を当接することで、防露材３２の横方向への抜け止めがなされている。
【００１４】
なお、抜け止め部材は、上記したようにケース状とすることなく、図７に示すように、薄い板状（例えば厚みが２〜５ｍｍ）の抜け止め部材３３とすることも可能である。なお、抜け止め部材２０と同一部材には同一の番号を付して説明する。
この抜け止め部材３３には、一方側に板状となった抜け止め部材３３の側部を利用したスライド片（第１の係止部の一例）３４が設けられ、他方側に抜け止め部材３３に備えられた取付け支持部３５に設けられたフック部（第２の係止部の一例）３６が設けられている。なお、取付け支持部３５は、抜け止め部材３３の本体部分に対して実質的に直交した薄板状（例えば厚みが１〜２ｍｍ）となっており、その長さは、開閉制御ユニット１３の高さの半分程度となっているので、抜け止め部材３３を曲げ易く、抜け止め部材３３の溝形収納部１５からの取外し作業が容易になる。
このように、抜け止め部材３３を薄い板状とするので、収納ケース１２内の収納部１４を大きく占有せず、収納ケース１２の収納部１４を有効利用できる。
【００１５】
続いて、本発明の一実施の形態に係るトイレ装置における開閉制御ユニットの取付け構造１０を使用した取付け方法について、機能部１１の組立作業を例に挙げ図１〜図３を参照しながら説明する。
まず、収納ケース１２を裏返し、図３に示すように、開閉制御ユニット１３の下部を溝形収納部１５の形成壁（面）に当接させ、溝形収納部１５の端部、即ち開閉部材の係合位置にスライドさせ、固定部１８、１９で固定する。これにより、開閉制御ユニット１３の出力軸１７は開閉部材の基端部に接続され、開閉制御ユニット１３は、横移動のみが可能になる。
【００１６】
次に、図２、図３に示すように、抜け止め部材２０を開閉制御ユニット１３の移動方向に実質的に直交する方向（この実施の形態では垂直方向）に移動させ、スライド片２４をガイド部２１に沿ってスライドさせながら嵌入させる。このとき、突出部２７も固定穴２３に嵌入させる。そして、スライド片２４及び突出部２７がガイド部２１及び固定穴２３にそれぞれ嵌入した後は、フック部２６を係止穴２２に押込み嵌入し、抜け止め部材２０の垂直方向の移動を防止する。
これにより、図１に示すように、開閉制御ユニット１３の収納ケース１２への取付けが完了する。そして、開閉制御ユニット１３が取付けられた収納ケース１２を反転させ、トイレ本体に取付ける。
【００１７】
また、例えば、開閉制御ユニット１３が故障し、収納ケース１２から開閉制御ユニット１３を取外す場合は、まず、抜け止め部材２０の取付け支持部２５の上端を、収納ケース１２の後側に引っ張ることで、フック部２６を係止穴２２から取出す。そして、抜け止め部材２０を縦方向に移動させ、スライド片２４をガイド部２１に沿ってスライドさせながら抜取ると共に、突出部２７も固定穴２３から抜取り、溝形収納部１５から抜け止め部材２０を取外す。
これにより、開閉制御ユニット１３の横移動が可能になるので、開閉制御ユニット１３を溝形収納部１５に沿って横移動させると共に、固定部１８、１９から取外す。そして、前記した取付け方法を使用し、収納ケース１２への開閉制御ユニット１３の取付けを行なう。
以上のように、抜け止め部材２０を溝形収納部１５にワンタッチで取付け、取外すことができる。
【００１８】
以上、本発明を、一実施の形態を参照して説明してきたが、本発明は何ら上記した実施の形態に記載の構成に限定されるものではなく、特許請求の範囲に記載されている事項の範囲内で考えられるその他の実施の形態や変形例も含むものである。例えば、前記したそれぞれの実施の形態や変形例の一部又は全部を組合せて本発明のトイレ装置における開閉制御ユニットの取付け構造を構成する場合も本発明の権利範囲である。
また、前記実施の形態においては、第１、第２の係止部をそれぞれスライド片とフック部で構成し、第１、第２の係合部をそれぞれガイド部と係止穴で構成した場合について説明した。しかし、第１、第２の係止部を共にスライド片で構成し、第１、第２の係合部を共にガイド部で構成することも、また、第１、第２の係止部を共にフック部で構成し、第１、第２の係合部を共に係止穴で構成することも可能である。なお、第１、第２の係止部を共にスライド片で構成する場合、抜け止め部材が垂直方向に抜け落ちることを防止するため、抜け止め部材を開閉制御ユニットに押圧状態で溝形収納部に取付けることが好ましい。
そして、前記実施の形態においては、第１、第２の係合部を溝形収納部の周辺部に設けられた２つの固定部の側方にそれぞれ配置した場合について説明したが、第１、第２の係合部を溝形収納部に設けることも可能である。
【００１９】
【発明の効果】
請求項１〜８記載のトイレ装置における開閉制御ユニットの取付け構造においては、従来のように取付けねじを使用することなく、収納ケースへの開閉制御ユニットの固定を、抜け止め部材によってワンタッチで行うことができる。このため、例えば、収納ケースへの開閉制御ユニットの取付け作業や、故障による開閉制御ユニットの交換作業等は、工具を使用することなく実施できるので、作業性が良好になる。また、例えば収納ケース内に配置される部品を抜け止め部材として使用することで、収納ケース内の空間を有効利用できると共に、部品点数の削減ができ経済的である。
特に、請求項２記載のトイレ装置における開閉制御ユニットの取付け構造においては、抜け止め部材が開閉制御ユニットの移動方向に実質的に直交する方向にスライド可能となっているので、抜け止め部材を固定することで、開閉制御ユニットの横移動が防止できる。このように、抜け止め部材は縦方向の荷重のみを受ける構成とすればよいので、取付けねじ使用時における外部からのストレスによる固定ボスへの応力集中を回避できる。従って、抜け止め部材の第１、第２の係止部、及びこれに係合可能な第１、第２の係合部を、単純な形状にできる。
また、抜け止め部材の両側に設けられた第１、第２の係止部を、溝形収納部又はその周辺部に設けられた第１、第２の係合部にそれぞれ係合することで、抜け止め部材を溝形収納部に容易に固定できる。これにより、収納ケースへの開閉制御ユニットの固定を、確実にしかも簡単に行うことができる。
【００２０】
請求項３記載のトイレ装置における開閉制御ユニットの取付け構造においては、スライド片をガイド部にスライドさせて嵌入した後、フック部を係止穴に係止することで、抜け止め部材を溝形収納部に固定できる。このように、簡単な構成で、溝形収納部への抜け止め部材の固定を行うことができる。
請求項４記載のトイレ装置における開閉制御ユニットの取付け構造においては、フック部が設けられた取付け支持部は弾性変形可能となっており、例えば大きな力や特別な工具を要することなく、フック部を係止穴に容易に着脱できるので、作業性が良好である。
【００２１】
請求項５記載のトイレ装置における開閉制御ユニットの取付け構造においては、開閉部材の開閉制御を電動によって行うので、開閉部材に触れることなく開閉部材の開閉及び開のいずれか一方を行うことができ、衛生的である。
請求項６記載のトイレ装置における開閉制御ユニットの取付け構造においては、抜け止め部材をケース状とし、この抜け止め部材に制御部を収納するので、抜け止め部材を新たに設けることなく、制御部のケースを開閉制御ユニットの抜け止めに利用できる。従って、収納ケース内の空間を有効利用できると共に、部品点数を削減でき経済的である。
請求項７記載のトイレ装置における開閉制御ユニットの取付け構造においては、防露材の横方向への抜け止めは、開閉制御ユニットによって行われるので、新たな部品を要することなく、防露材をケース状となった抜け止め部材に固定できる。従って、抜け止め部材への防露材の固定を、新たな部品で行う必要がなくなるので、部品点数を削減でき経済的である。
請求項８記載のトイレ装置における開閉制御ユニットの取付け構造においては、開閉制御ユニットにダンパー機構を備えることで、開閉部材の回動速度がゆっくりになるので、開閉部材がトイレ本体に衝突した場合に、開閉部材やトイレ本体の破損を防止できる。従って、トイレを安全に使用できる。
【図面の簡単な説明】
【図１】本発明の一実施の形態に係るトイレ装置における開閉制御ユニットの取付け構造を示す説明図である。
【図２】同取付け構造を適用した取付け方法を示す説明図である。
【図３】同取付け構造を適用した取付け方法を示す説明図である。
【図４】同取付け構造を適用した抜け止め部材の斜視図である。
【図５】同取付け構造を適用した抜け止め部材の説明図である。
【図６】同取付け構造を適用した抜け止め部材の説明図である。
【図７】同取付け構造を適用した変形例に係る抜け止め部材の説明図である。
【図８】トイレ装置の説明図である。
【図９】従来例に係る開閉制御ユニットの取付け構造を示す説明図である。
【符号の説明】
１０：トイレ装置における開閉制御ユニットの取付け構造、１１：機能部、１２：収納ケース、１３：開閉制御ユニット、１４：収納部、１５：溝形収納部、１６：空間部、１７：出力軸、１８、１９：固定部、２０：抜け止め部材、２１：ガイド部（第１の係合部）、２２：係止穴（第２の係合部）、２３：固定穴、２４：スライド片（第１の係止部）、２５：取付け支持部、２６：フック部（第２の係止部）、２７：突出部、２８：固定部、２９：制御基板、３０：支持部、３１：引っ掛け部、３１ａ：フック部、３２：防露材、３３：抜け止め部材、３４：スライド片（第１の係止部）、３５：取付け支持部、３６：フック部（第２の係止部）
【図１】
2004121319.tif 000003
【図２】
2004121319.tif 000004
【図３】
2004121319.tif 000005
【図４】
2004121319.tif 000006
【図５】
2004121319.tif 000007
【図６】
2004121319.tif 000008
【図７】
2004121319.tif 000009
【図８】
2004121319.tif 000010
【図９】
2004121319.tif 000011